(57)【要約】【課題】デジタルカメラの機種に応じた充電制御を行う。【解決手段】デジタルカメラ１０がプリンタドック１２にセットされると、プリンタドック１２はデジタルカメラ１０に電源を供給するとともに、デジタルカメラ１０の二次電池を充電する。デジタルカメラ１０がプリンタドック１２による充電制御に対応する機種か否かを判別する。デジタルカメラ１０が固有の充電制御回路を内蔵しない場合、プリンタドック１２の充電制御回路を用いて充電する。デジタルカメラ１０が固有の充電制御回路を有する場合、プリンタドック１２の充電制御回路を停止して充電電力を供給する。充電状態の表示形態は両機種で同一とする。【選択図】図１
2006211858.tif 000002
【特許請求の範囲】
【請求項１】
二次電池を有する携帯機器と電気的に接続される充電装置であって、
前記携帯機器との接続のための少なくとも第１と第２の電気接点と、
前記第１の電気接点に接続された前記携帯機器内の二次電池を充電制御するための充電制御手段と、
前記第２の電気接点に接続された定電圧電力供給手段と、
前記携帯機器内の前記二次電池の充電制御が必要か否かを検出する検出手段と、
を有しており、接続された前記携帯機器内の前記二次電池が充電制御を必要とすることが検出された場合には前記第１の電気接点を通じて前記携帯機器内の前記二次電池を充電制御し、前記携帯機器内の前記二次電池が充電制御を必要としないことが検出された場合には前記第２の電気接点を通じて電力の供給のみを行い、前記二次電池の充電制御は行わないことを特徴とする充電装置。
【請求項２】
請求項１記載の装置において、さらに、
接続された前記携帯機器の充電状態を表示する表示手段であって、接続された前記携帯機器内の前記二次電池が充電制御を必要とする場合であっても必要としない場合であっても同一の表示形態で表示する表示手段
を有することを特徴とする充電装置。
【請求項３】
請求項１、２のいずれかに記載の装置において、さらに、
前記二次電池の種類と容量を判別する判別手段と、
前記二次電池の種類と容量に応じて充電電圧あるいは充電電流と充電時間の少なくともいずれかを切り替える充電切替手段と、
を有することを特徴とする充電装置。
【請求項４】
請求項３記載の装置において、
前記判別手段は、前記携帯機器がセットされた場合に前記携帯機器の対応する端子にそれぞれ接続される、前記第１及び第２の電気接点と異なる第３端子及び第４端子を有し、前記携帯機器がセットされた場合に前記第３端子と前記第４端子は前記携帯機器側の抵抗により短絡し、前記抵抗による分圧を検出することで前記二次電池の種類を判別することを特徴とする充電装置。
【請求項５】
請求項３記載の装置において、
前記判別手段は、前記携帯機器がセットされた場合に前記携帯機器の対応する端子にそれぞれ接続される、前記第１及び第２の電気接点と異なる第３端子及び第４端子を有し、前記携帯機器がセットされた場合に前記第３端子と前記第４端子は前記携帯機器側の抵抗により短絡し、前記抵抗による分圧を検出することで前記第２の電気接点が必要とする電圧を判別することを特徴とする充電装置。
【請求項６】
請求項５記載の装置において、
前記判別手段は、さらに前記携帯機器がセットされた場合に前記携帯機器の対応する端子に接続される第５端子を有し、前記第５端子の電位が、判別された電位と相反しない電位であることで検証することを特徴とする充電装置。
【請求項７】
請求項５記載の装置において、
前記判別手段は、前記携帯機器がセットされた場合に前記携帯機器の対応する端子にそれぞれ接続される、前記第１及び第２の電気接点並びに第３端子及び第４端子と異なる第６端子及び第７端子によるシリアル通信部を有し、前記シリアル通信部を用いて前記二次電池の種類、容量、携帯機器の充電必要性の有無、充電表示の少なくともいずれかのデータを送受することを特徴とする充電装置。
【請求項８】
請求項１〜７のいずれかに記載の装置において、
前記携帯機器はデジタルカメラであり、
電気的に接続された前記デジタルカメラからの撮影データを受信して印刷するプリンタとしても機能することを特徴とする充電装置。
【請求項９】
請求項８記載の装置において、
前記プリンタのプリント動作中は、前記二次電池の充電制御手段を休止状態とし、プリント動作を停止して一定時間後に充電制御を開始することを特徴とする充電装置。
【請求項１０】
請求項８記載の装置において、
前記充電制御手段は、前記デジタルカメラの電源がＯＦＦ状態において充電制御を実行するものであり、前記プリンタのプリント動作中であって前記デジタルカメラの電源がＯＮ状態となっている間は前記充電制御を休止し、前記プリント動作が停止して前記デジタルカメラの電源がＯＦＦ状態となったときに充電制御を開始することを特徴とする充電装置。
【発明の詳細な説明】
【技術分野】
【０００１】
本発明は充電装置、特にデジタルカメラ等の携帯機器を充電する際に、携帯機器の仕様に応じた充電を行う装置に関する。
【背景技術】
【０００２】
デジタルカメラには、ニッケル水素電池（Ｎｉ−ＭＨバッテリ）やリチウムイオン電池（Ｌｉ−ｉｏｎバッテリ）等の二次電池が組み込まれており、外部電源から電力を供給して充電を行う。デジタルカメラをプリンタドックにセットするだけで簡易にデジタルカメラで撮影した画像を印刷出力できるシステムが提案されており、プリンタドックにデジタルカメラをセットしたときに同時にプリンタドックからデジタルカメラに電力を供給してデジタルカメラの二次電池を充電する技術も搭載されている。
【０００３】
一方、プリンタドックにセットすべきデジタルカメラには種々の仕様が存在し、かつ、順次新しい機能が搭載されている。したがって、プリンタドック側としては、これら種々のデジタルカメラに対して広範に対応できることが望ましい。
【０００４】
下記の特許文献には、ＰＨＳに関するものであるが、充電対応型ＰＨＳであるか否かを識別し、充電対応型ＰＨＳである場合には充電電圧を５Ｖとし、充電非対応型である場合には充電電圧を３．８Ｖに切り替える技術が記載されている。充電対応型であるか否かは、ＰＨＳ側からＰＩＡＦＳコネクタを介してＰＣカードに送信し、ＰＣカード側でいずれの型であるかを識別して充電電圧を切り替える。
【０００５】
【特許文献１】特開２００２−３００２３４号公報
【発明の開示】
【発明が解決しようとする課題】
【０００６】
しかしながら、固有の充電制御装置を備えたデジタルカメラも存在しており、充電制御装置を有していないデジタルカメラと充電制御装置を有するデジタルカメラが混在している状況にある。充電制御装置を有していないデジタルカメラがプリンタドックに制御された場合、プリンタドック側の充電制御装置で充電状態を制御しつつデジタルカメラの二次電池を充電できるが、固有の充電制御装置を有するデジタルカメラがセットされた場合には、単に充電電圧を切り替えるだけではなく、デジタルカメラ側の固有の充電制御装置を効率的に活用できることが望ましい。また、ユーザは単にデジタルカメラをプリンタドックにセットするだけでその二次電池が充電されることを欲していると考えられ、ユーザにとってはそのデジタルカメラが充電制御装置を有しているか否かにかからわず同一の手順により自動充電されることが望ましい。
【０００７】
本発明の目的は、異なる仕様を有する機器がセットされた場合でも、確実にその二次電池を充電できる装置を提供することにある。また、異なる仕様を有する機器がセットされた場合でも、同一の手順あるいは態様でその二次電池を充電できる装置を提供することにある。
【課題を解決するための手段】
【０００８】
本発明は、二次電池を有する携帯機器と電気的に接続される充電装置であって、前記携帯機器との接続のための少なくとも第１と第２の電気接点と、前記第１の電気接点に接続された前記携帯機器内の二次電池を充電制御するための充電制御手段と、前記第２の電気接点に接続された定電圧電力供給手段と、前記携帯機器内の前記二次電池の充電制御が必要か否かを検出する検出手段とを有しており、接続された前記携帯機器内の前記二次電池が充電制御を必要とすることが検出された場合には前記第１の電気接点を通じて前記携帯機器内の前記二次電池を充電制御し、前記携帯機器内の前記二次電池が充電制御を必要としないことが検出された場合には前記第２の電気接点を通じて電力の供給のみを行い、前記二次電池の充電制御は行わないことを特徴とする。
【０００９】
本発明では、携帯機器の二次電池が充電装置側の充電制御を必要とするか否かを検出し、必要とする場合には充電装置側の充電制御手段を用いて二次電池を充電し、必要としない場合に携帯機器側の充電制御手段を用いるべく充電装置側の充電制御装置を動作させず電力の供給のみを行う。したがって、いずれの機種が充電装置にセットされても、携帯機器の二次電池を充電することができる。二次電池の充電状態は、充電装置側の表示手段で表示するが、このときの表示形態をいずれの機種においても同一形態とすると、ユーザは機種の相違を意識せずに充電状態を確認できる。本発明における携帯機器の一例はデジタルカメラであり、充電装置の一例はデジタルカメラがセットされるプリンタドックである。プリンタドックは、デジタルカメラ内の画像データを印刷するプリント機能と、セットされたデジタルカメラの二次電池を充電する充電機能を有する。
【発明の効果】
【００１０】
本発明によれば、異なる仕様を有する携帯機器がセットされた場合でも、確実にその二次電池を充電できる。また、いずれの機種がセットされてもその充電状態の表示形態を同一とするため、ユーザは仕様あるいは機種の相違を意識することなく、同一の手順で携帯機器の二次電池を充電できる。
【発明を実施するための最良の形態】
【００１１】
以下、図面に基づき本発明の実施形態について、デジタルカメラを充電するプリンタドックを例にとり説明する。
【００１２】
図１は、本実施形態のシステムを示す。デジタルカメラ１０とプリンタドック１２から構成される。
【００１３】
デジタルカメラ１０は、その内部にリチウムイオン電池あるいはニッケル水素電池等の二次電池を有する。撮影された画像データはメモリカード、あるいは内部のフラッシュメモリに格納される。画像データを印刷する場合、ユーザはデジタルカメラ１０をプリンタドック１２の所定位置にセットする。
【００１４】
プリンタドック１２は、デジタルカメラ１０のメモリに格納された画像データを受信して印刷する印刷機能と、デジタルカメラ１０の二次電池を充電する充電機能、及びデジタルカメラ１０に動作用の定電圧を供給する電圧供給機能を有する。デジタルカメラ１０をプリンタドック１２のカメラコネクタ２８及びカメラ取付ピン３０を介してセットすると、デジタルカメラ１０の電源は内蔵の二次電池ではなくプリンタドック１２側から供給されることとなる。デジタルカメラ１０をプリンタドック１２にセットした状態でプリントボタン２０を操作すると、デジタルカメラ１０のメモリに格納された画像データに基づいて印刷処理が実行され、用紙トレイ１８に予めセットされた用紙に印刷されて出力される。印刷処理では、印刷が完了して排紙されるまでに用紙が複数回（例えば４回）往復し、順次イエロー、マゼンダ、シアンの層が印刷され、最後に保護層がコーティングされて排紙される。印刷すべき画像の選択は、プリントボタン２０の近傍に配置された選択ボタンの操作により行われる。選択ボタンを操作することで、デジタルカメラ１０の背面ＬＣＤには撮影画像が順次表示され、ユーザはＬＣＤを視認して印刷すべき画像を確認する。印刷画像サイズは画像サイズボタン２２を操作することで切替られ、現在の画像サイズは画像サイズ表示部２４に表示される。充電時には、充電状態が充電表示部１４に表示される。充電表示部１４は、直線上に配列した３個のＬＥＤから構成され、充電状態に応じて発光するＬＥＤの数が制御される。すなわち、充電初期には１個のＬＥＤが発光し、充電が進むにつれて２個、３個のＬＥＤが発光する。３個のＬＥＤの発光で充電完了を示す。なお、プリンタドック１２にはコンピュータに接続するためのＵＳＢコネクタ２６が設けられている。プリンタドック１２をコンピュータに接続して転送ボタン１６を操作すると、画像データはプリンタドック１２からコンピュータに転送され、この場合、プリンタドック１２はデジタルカメラ１０とコンピュータとを接続するＵＳＢハブとして機能する。また、ＵＳＢ接続により、プリンタドック１２はコンピュータから制御できるプリンタとしても機能する。さらに、プリンタドック１２は、ＰｉｃｔＢｒｉｄｇｅ互換のデジタルカメラを接続するためのＵＳＢコネクタもまた有する。
【００１５】
プリンタドック１２は、このようにデジタルカメラ１０がコネクタ２８にセットされると、これを検出してデジタルカメラ１０の二次電池の充電を開始するが、デジタルカメラ１０の機種として、固有の充電制御装置を有する機種と充電制御装置を有しない機種がある。充電制御装置を有しない機種はプリンタドック１２側の充電制御に対応する機種であり、固有の充電制御装置を有する機種はプリンタドック１２側の充電制御に対応しない機種である。プリンタドック１２は、セットされたデジタルカメラ１０との間のデータ送受により、デジタルカメラ１０がいずれの機種であるかを識別し、固有の充電制御装置の有無あるいはプリンタドック１２側による充電制御への対応の有無に応じて充電方法を切り替える。
【００１６】
図２は、プリンタドック１２の構成ブロックを示す。プリンタドック１２は、上記の印刷機能及び充電機能を実行するＣＰＵ（あるいはマイクロプロセッサ）４０、ＡＣアダプタ入力より必要な電源を生成するＤＣ−ＤＣコンバータ４２、充電すべき二次電池の充電状態に応じた充電電流の制御や充電開始、終了を制御する充電制御回路４４、及び上記の充電表示部１４の表示を切り替える表示切替回路４６を有する。
【００１７】
固有の充電制御回路を有しないデジタルカメラ１０Ａは、二次電池５０及び処理回路５２を有する。処理回路５２内のＣＰＵ５４はデジタルカメラ１０Ａの各種機能を統合制御する。固有の充電制御回路を有するデジタルカメラ１０Ｂも、二次電池６０及び処理回路６２を有する。処理回路６２内には固有の充電制御回路６４及びＣＰＵ６６を有する。
【００１８】
デジタルカメラ１０Ａあるいはデジタルカメラ１０Ｂがプリンタドック１２にセットされると、ＣＰＵ５４あるいはＣＰＵ６６とプリンタドック１２のＣＰＵ４０との間で所定のプロトコルに従ったデータ送受が行われる。プロトコルには、電池の種類、容量あるいは充電制御の許可／禁止を送信する手順が含まれ、ＣＰＵ５４あるいはＣＰＵ６６は、このプロトコルにしたがって充電制御装置の有無あるいは充電制御の許可／禁止をＣＰＵ４０に送信する。ＣＰＵ４０は、このデータを受信することで充電制御回路４４による充電制御を実行するか、あるいは禁止するかを決定して充電制御回路４４の動作をＯＮ／ＯＦＦ制御する。ＣＰＵ５４から充電制御の許可信号を受信すると、ＣＰＵ４０は充電制御回路４４の動作を許可（ＯＮ）してデジタルカメラ１０Ａの二次電池５０を充電する。二次電池５０の充電は、二次電池５０の種類や容量に応じ、充電電圧あるいは充電電流と充電時間を制御して行われる。一方、ＣＰＵ６６から充電制御の禁止信号を受信すると、ＣＰＵ４０は充電制御回路４４の動作を禁止（ＯＦＦ）してデジタルカメラ１０ＢにＤＣ−ＤＣコンバータ４２からの直流電力を供給する。データ送受によるＣＰＵ間のネゴシエーションにより充電制御の許可／禁止を識別する方法は一例であって、他の識別方法も可能である。例えば、プリンタドック１２とデジタルカメラ１０双方に専用端子を設け、プリンタドック１２側の端子電位を検出することでセットされたデジタルカメラ１０が充電制御対応機種か非対応機種かを識別してもよい。端子電位を用いた機種識別に関しては、さらに後述する。
【００１９】
図３は、デジタルカメラ１０Ａをセットした場合の構成を示す。ＣＰＵ５４は、ＣＰＵ４０との間でデータ送受し、ＣＰＵ４０に対して充電制御の許可信号を送信する。ＣＰＵ４０は、この信号に基づき充電制御回路４４の動作を許可する。デフォルト状態を充電制御の許可とし、ＣＰＵ５４から充電制御の禁止信号を受信しない限り充電制御回路４４の動作を許可してもよい。ＤＣ−ＤＣコンバータ４２は、所定の直流電圧を生成して出力する。充電制御回路４４は、ＤＣ−ＤＣコンバータ４２からの直流電圧を二次電池５０に供給して充電する。二次電池５０の充電状態は二次電池５０の端子電圧に基づいて充電制御回路４４で検出し、検出した充電状態に応じて表示切替回路４６に指令する。二次電池５０の端子電圧はＣＰＵ５４からＣＰＵ４０に送信し、ＣＰＵ４０が表示切替回路４６に指令してもよい。表示切替回路４６は、二次電池５０の充電状態に応じて上記のように表示部１４を構成する３個のＬＥＤの発光数を制御する。ユーザは、プリンタドック１２の表示部１４を視認することで、デジタルカメラ１０の二次電池５０が充電されていること、及び充電の完了を知ることができる。なお、デジタルカメラ１０Ａをプリンタドック１２にセットしている場合、デジタルカメラ１０Ａの二次電池５０が満充電となるまで充電制御回路４４により充電制御が実行されるが、プリンタドック１２がプリント動作を開始した場合には、プリント動作中は充電制御回路４４を休止状態とし、プリント動作を停止して一定時間経過後に充電制御を開始することが好適である。プリント動作と充電制御動作のタイミングをシフトさせることで、プリンタドック１２の電源容量を抑制することができる。プリント動作中であるか否かはＣＰＵ４０が監視し、プリント動作を開始するタイミングで充電制御回路４４を動作状態から休止状態に制御し、プリント動作が完了してから一定時間経過後に再び充電制御回路４４を休止状態から動作状態に制御する。あるいは、ＣＰＵ４０がデジタルカメラ１０の電源がＯＦＦ状態であることを検出しているときに充電制御を行うようにしてもよい。デジタルカメラ１０は、一定時間の無操作状態で電源ＯＮ状態から電源ＯＦＦ状態（オートパワーセーブ）に移行する。デジタルカメラ１０の電源ＯＦＦ状態において充電制御を実行する。その後、ユーザがプリンタドック１２のプリントボタン２０を操作すると、イベントコマンドがプリンタドック１２からデジタルカメラ１０に送信され、デジタルカメラ１０の電源がＯＮ状態となって撮影データがプリンタドック１２側に送信されプリント動作が行われる。デジタルカメラ１０の電源がＯＮ状態となったことをプリンタドック１２のＣＰＵ４０が検出すると、充電制御を休止する。
プリント動作中はデジタルカメラ１０の電源はＯＮ状態であるため充電制御も休止状態を維持する。プリント動作が完了して一定時間経過すると、デジタルカメラ１０の電源が再びＯＦＦ状態となる。プリンタドック１２のＣＰＵ４０は、このＯＦＦ状態を検出して再び充電制御を開始する。
【００２０】
図４は、デジタルカメラ１０Ｂをセットした場合の構成を示す。ＣＰＵ６６は、ＣＰＵ４０との間でデータ送受し、ＣＰＵ４０に対して充電制御の禁止信号を送信する。ＣＰＵ４０は、この信号に基づき充電制御回路４４の動作を禁止する。ＤＣ−ＤＣコンバータ４２からの直流電圧がデジタルカメラ１０Ｂの充電制御回路６４に供給され、充電制御回路６４で二次電池６０の充電を制御する。二次電池６０の充電状態は充電制御回路６４で検出され、ＣＰＵ６６を介してＣＰＵ４０に送信される。ＣＰＵ４０は、受信した充電状態に応じて表示切替回路４６に指令する。表示切替回路４６は、ＣＰＵ４０からの指令に応じて、表示部１４を構成するＬＥＤの発光数を制御する。なお、図ではＤＣ−ＤＣコンバータ４２から直接デジタルカメラ１０Ｂに充電電力が供給されているが、充電制御回路４４を介してデジタルカメラ１０Ｂに充電電力を供給してもよい。充電制御回路４４はＣＰＵ４０からの指令によりその動作を停止しているため充電制御は行わず、単に電力供給路として機能する。プリンタドック１２は、デジタルカメラ１０Ｂの充電制御は行わず、デジタルカメラ１０Ｂに充電用の電圧と動作用の定電圧のみを異なる端子から供給する。
【００２１】
このように、デジタルカメラ１０Ａがセットされた場合にはプリンタドック１２の充電制御回路４４を用いて二次電池５０を充電し、デジタルカメラ１０Ｂがセットされた場合にはプリンタドック１２の充電制御回路４４を動作させることなくデジタルカメラ１０Ｂ固有の充電制御回路６４を用いて二次電池６０を充電するので、ユーザは自己の所有するデジタルカメラがいずれの機種であるかを意識することなくプリンタドック１２にセットして充電することができる。さらに、本実施形態では、デジタルカメラ１０Ａあるいはデジタルカメラ１０Ｂのいずれがセットされても、その充電状態が共に表示部１４に表示されるため、ユーザは同一手順あるいは態様で自己のデジタルカメラを充電することができる。
【００２２】
なお、デジタルカメラ１０をプリンタドック１２にセットすると、上記のようにデジタルカメラ１０の電源は内蔵の二次電池からプリンタドック１２の電源に切り替わる。すなわち、プリンタドック１２は、デジタルカメラ１０に動作電源を供給する。但し、デジタルカメラ１０には、３．３Ｖで動作する（ニッケル水素電池）機種や、５Ｖで動作する（リチウムイオン電池）機種が存在するため、プリンタドック１２からデジタルカメラ１０に電源を供給する場合には、デジタルカメラ１０の機種に応じた電圧に切り替える必要がある。もちろん、先に３．３Ｖを供給し、デジタルカメラ１０のＣＰＵとプリンタドック１２のＣＰＵとの間でデータ送受することで後から５Ｖに供給電圧を昇圧することも可能であるが、制御が複雑となる。また、デジタルカメラ１０Ｂがプリンタドック１２のコネクタ２８に接続されていないときはデジタルカメラ１０Ｂ内の充電機能を利用し、デジタルカメラ１０Ｂがプリンタドック１２のコネクタ２８にセットされているときはプリンタドック１２内の充電機能を利用することも可能である。この場合、デジタルカメラ１０Ｂ単体で充電するときは小型のＡＣアダプタや充電回路を利用することでやや充電時間は長くなるがデジタルカメラ１０Ｂをコンパクトにでき、かつ、プリンタドック１２上ではデジタルカメラ１０Ｂ単体での充電よりも高速に充電することが可能である。また、デジタルカメラ１０単体では実装が難しい、リフレッシュ機能（放電後再充電）の実装も、デジタルカメラ１０単体ではなくプリンタドック１２の充放電装置を利用することが好適である。
【００２３】
そこで、本実施形態では、固有の充電制御装置の有無に応じて充電方法を切り替えるとともに、デジタルカメラ１０のパワー電源を供給する際の供給電圧をデジタルカメラ１０の機種に応じて自動的に切替制御する。
【００２４】
図５は、プリンタドック１２の他の構成を示す。プリンタドック１２は、マイクロプロセッサ、ＤＣ−ＤＣコンバータ、ＵＳＢコネクタ及び各種端子を有する。各種端子は、カメラコネクタ２８のそれぞれの端子に対応する。「ＣＡＭ＿ＰＷＲ」はデジタルカメラ１０に電源電圧を供給するための端子であり、この端子から５Ｖあるいは３．３Ｖの電圧が供給される。「ＧＮＤ」端子及び「ＢＡＴＴ＋」端子は、デジタルカメラ１０の二次電池を充電するための端子であり、それぞれデジタルカメラ１０の二次電池の端子に接続される。「ＣＤ１」、「ＣＤ２」、「ＣＤ３」は電源供給用の制御端子であり、「ＣＤ１」（第３端子）、「ＣＤ２」（第４端子）は、デジタルカメラ１０をプリンタドック１２にセットすることで短絡用抵抗を介して短絡される端子である。これらの端子は、電源電圧供給用端子や充電用端子とは別個に設けられる。短絡用抵抗は、デジタルカメラ１０に設けられ、かつ、デジタルカメラ１０の動作電圧が５Ｖであるか３．３Ｖであるかに応じて異なる抵抗値を有する。例えば、動作電圧５Ｖのデジタルカメラ１０では短絡用抵抗Ｒ＝１０Ｋであり、動作電圧３．３Ｖのデジタルカメラ１０では短絡用抵抗Ｒ＝５１Ｋである。図には、動作電圧５Ｖのデジタルカメラ１０Ｃと動作電圧３．３Ｖのデジタルカメラ１０Ｄの短絡用抵抗Ｒが示されている。プリンタドック１２のマイクロプロセッサ（μＰ）４０は、短絡抵抗Ｒとプリンタドック１２内の抵抗の分圧を検出して動作電圧５Ｖのデジタルカメラ１０Ｃあるいは動作電圧３．３Ｖのデジタルカメラ１０Ｄのいずれがセットされたかを識別する。すなわち、分圧をプロセッサ内のＡ／Ｄコンバータでデジタル値に変換し、デジタル値に基づいていずれがセットされたかを識別する。動作電圧５Ｖのデジタルカメラ１０Ｃがセットされた場合、マイクロプロセッサ４０は、５Ｖ変換用スイッチング回路７０を動作させてＤＣ−ＤＣコンバータからの直流電圧を５Ｖに変換して「ＣＡＭ＿ＰＷＲ」端子から出力する。一方、動作電圧３．３Ｖのデジタルカメラ１０Ｄがセットされた場合、３．３Ｖ変換用スイッチング回路７２を動作させてＤＣ−ＤＣコンバータからの直流電圧を３．３Ｖに変換して「ＣＡＭ＿ＰＷＲ」端子から出力する。
【００２５】
なお、「ＣＤ３」端子（第５端子）は、２重安全保護のための端子である。「ＣＤ３」端子に対応するデジタルカメラ側の端子には、動作電圧に応じた電圧が設定される。動作電圧５Ｖのデジタルカメラ１０Ｃの対応端子はオープンであり、動作電圧３．３Ｖのデジタルカメラ１０Ｄの対応端子はＧＮＤに接続される。したがって、マイクロプロセッサ４０は、「ＣＤ３」端子の電位を検出することで、「ＣＤ１」端子及び「ＣＤ２」端子からの信号に基づいて識別した結果をさらに検証することができる。具体的には、「ＣＤ１」、「ＣＤ２」端子の分圧に基づいて、セットされたデジタルカメラが動作電圧５Ｖのデジタルカメラ１０Ｃであると識別し、さらに「ＣＤ３」端子がオープン（ハイインピーダンス）であることを検出した場合にデジタルカメラ１０Ｃがセットされていることを検証して供給電圧を５Ｖとする。「ＣＤ１」、「ＣＤ２」端子の分圧に基づいて、セットされたデジタルカメラが動作電圧５Ｖのデジタルカメラ１０Ｃであると識別し、「ＣＤ３」端子がＧＮＤであることを検出した場合には、セットされたのは動作電圧３．３Ｖのデジタルカメラ１０Ｄである可能性があるため、供給電圧を３．３Ｖに設定する。以上により、動作電圧３．３Ｖのデジタルカメラ１０Ｄに対し、誤って５Ｖを供給してダメージを与えるおそれを防止できる。また、「ＳＢ」（第６端子）、「ＳＣＬＫ」（第７端子）はシリアル通信用の端子であり、これらの端子を用いてマイクロプロセッサ同士が２線式同期型シリアル通信を行い、二次電池５０の種類、容量、デジタルカメラ１０の充電必要性の有無、電池温度のデータを送受し、また、充電状態データを送受して充電表示を制御する。
【００２６】
以上、本発明の実施形態について説明したが、本発明はデジタルカメラだけでなく、携帯情報端末や携帯音楽／映像再生機器、あるいは携帯電話などの携帯機器に広く適用することができる。また、本実施形態では、充電装置としてデジタルカメラで撮影された画像データを印刷する機能を有するプリンタドックを例示したが、充電機能のみを有していてもよい。また、本実施形態では、二次電池を有するデジタルカメラ１０の場合について説明したが、１次電池を有するデジタルカメラ１０がセットされた場合、そのデジタルカメラ１０から電池の種類データが送信されてくるから、プリンタドック１２のＣＰＵ４０は充電制御を行わず、単に動作用の定電圧のみを供給する。
【図面の簡単な説明】
【００２７】
【図１】実施形態のシステム構成図である。
【図２】実施形態のブロック構成図である。
【図３】固有の充電制御回路を有しないデジタルカメラがセットされた場合の充電制御説明図である。
【図４】固有の充電制御回路を有するデジタルカメラがセットされた場合の充電制御説明図である。
【図５】他の実施形態の構成ブロック図である。
【符号の説明】
【００２８】
１０  デジタルカメラ、１０Ａ  デジタルカメラ（充電制御回路を有しない）、１０Ｂ  デジタルカメラ（充電制御回路を有する）、１０Ｃ  デジタルカメラ（動作電圧５Ｖ）、１０Ｄ  デジタルカメラ（動作電圧３．３Ｖ）、１２  プリンタドック。
【図１】
2006211858.tif 000003
【図２】
2006211858.tif 000004
【図３】
2006211858.tif 000005
【図４】
2006211858.tif 000006
【図５】
2006211858.tif 000007